(57)【要約】【課題】本発明は、デッキ材取付具自体でデッキ材を根太材に良好に固定することのできるデッキ材取付具、及び、デッキ材取付具の装着方法を提供することを課題とする。【解決手段】本発明に係るデッキ材取付具１及び該デッキ材取付具１の装着方法は、デッキ材４０を載置する平坦な載置部３１が幅方向の少なくとも一方側に突出して設けられた根太材３０に対してデッキ材４０を取り付けるデッキ材取付具１及び該デッキ材取付具１の装着方法であり、デッキ材取付具１がデッキ材４０を側面４２側から係止する係止手段１０を備えるとともに、根太材３０の載置部３１に該根太材３０の幅方向一方側から差込可能且つ抜け止め可能に構成される。【選択図】図１
2008280815.tif 000002
【特許請求の範囲】
【請求項１】
デッキ材を載置する平坦な載置部が幅方向の少なくとも一方側に突出して設けられた根太材に対してデッキ材を取り付けるデッキ材取付具であって、
デッキ材を側面側から係止する係止手段を備えるとともに、
根太材の載置部に該根太材の幅方向一方側から差込可能且つ抜け止め可能に構成されることを特徴とするデッキ材取付具。
【請求項２】
前記根太材の平坦な載置部が有する面のうちデッキ材を載置する表面側に配置される本体部と、表面とは反対の裏面側に配置される裏面側支持部と、本体部と裏面側支持部とを接続する接続部と、本体部の差込方向における先端側に設けられ、根太材の載置部を掛け止めする掛止部とを備え、
該掛止部は、接続部の一部位と差込方向に対向する対向部位を有して設けられ、
本体部と裏面側支持部との間には、接続部を一端側として差込方向に沿って本体部の先端にかけて開放され、根太材の載置部を差込方向に沿って受け入れ可能な受入空間が画成されるとともに、
接続部と掛止部との間には、根太材の載置部を収容可能な収容空間が前記受入空間と連続して画成されることを特徴とする請求項１に記載のデッキ材取付具。
【請求項３】
前記本体部は、差込方向に直交する方向に幅を有して形成され、
前記掛止部は、本体部の幅方向一端縁部から本体部に沿って突出させて設けられ、
前記係止手段は、本体部の幅方向他端縁部からそれぞれ反対方向に突出する一対の係合部によって構成されることを特徴とする請求項２に記載のデッキ材取付具。
【請求項４】
請求項２又は３に記載のデッキ材取付具を根太材の載置部に装着するデッキ材取付具の装着方法であって、
本体部及び掛止部が根太材の載置部の表面側にあり且つ裏面側支持部が裏面側にある第一の姿勢で、掛止部が載置部を超える位置となるまで前記デッキ材取付具を載置部に差し込んだ後、
掛止部が根太材の載置部の表面で二分される表面側及び裏面側の領域のうち裏面側の領域に入る第二の姿勢となるように前記デッキ材取付具を回転させることで、根太材の載置部に抜け止め状態で装着することを特徴とするデッキ材取付具の装着方法。
【発明の詳細な説明】
【技術分野】
【０００１】
本発明は、デッキ材を載置する平坦な載置部が幅方向の少なくとも一方側に突出して設けられた根太材に対してデッキ材を取り付けるデッキ材取付具、及び、該デッキ材取付具を根太材の載置部に装着するデッキ材取付具の装着方法に関する。
【背景技術】
【０００２】
ウッドデッキ等のデッキは、根太材の上に複数のデッキ材を並べて配置して構成されるものであり、デッキ材は、容易に動くことのないように根太材に取り付けられる。デッキ材を根太材に取り付ける方法の一つに、ビス等を用いてデッキ材を該デッキ材の表面から根太材に直接固定する方法がある（例えば、特許文献１等）。ただし、これでは、デッキ材の表面にビス等を施工した形跡が残ってしまう。そこで、まず根太材にデッキ材取付具を取り付けた上で、該デッキ材取付具にデッキ材を取り付けることで、デッキ材を根太材に間接的に固定する方法も提案されている（例えば、特許文献２等）。
【０００３】
この方法では、デッキ材を直接ビス等で固定する代わりに、デッキ材取付具をビス等で根太材に固定するものが一般的である。このようにすれば、完成したデッキの表面にビス等が表れることがない上にビス打ちによる凹凸も形成されず、外観を良好にできる。
【０００４】
【特許文献１】特開２００５−２５６２８８号公報
【特許文献２】特開２００５−８３０１５号公報
【発明の開示】
【発明が解決しようとする課題】
【０００５】
しかしながら、このようなビス打ちによる固定では、当然にビスや該ビスを打ち込む工具など、種々の道具が必要となる上に、工程数も増加せざるを得ず、施工の手間もかかるという問題がある。
【０００６】
また、最近のデッキでは、根太材として、従来の木材だけでなく、鋼製の根太材が用いられるようになって来ている。この場合、デッキ材取付具を固定すべく根太材にビスを打ち込むと、鋼製の根太材やビスが削れて金属のくずが発生してしまうという問題もある。
【０００７】
そこで、本発明は、デッキ材取付具自体でデッキ材を根太材に良好に固定することのできるデッキ材取付具、及び、デッキ材取付具の装着方法を提供することを目的とする。
【課題を解決するための手段】
【０００８】
本発明に係るデッキ材取付具は、デッキ材を載置する平坦な載置部が幅方向の少なくとも一方側に突出して設けられた根太材に対してデッキ材を取り付けるデッキ材取付具であって、デッキ材を側面側から係止する係止手段を備えるとともに、根太材の載置部に該根太材の幅方向一方側から差込可能且つ抜け止め可能に構成されることを特徴とする。
【０００９】
上記構成からなるデッキ材取付具によれば、デッキ材取付具が抜け止め可能に構成されることで、別途固定部材等を用いることなく、デッキ材取付具を根太材の載置部に装着することができる。また、デッキ材取付具を根太材の載置部に差し込むことでデッキ材取付具の装着が行われるため、作業も簡便である。
【００１０】
また、上記デッキ材取付具は、前記根太材の平坦な載置部が有する面のうちデッキ材を載置する表面側に配置される本体部と、表面とは反対の裏面側に配置される裏面側支持部と、本体部と裏面側支持部とを接続する接続部と、本体部の差込方向における先端側に設けられ、根太材の載置部を掛け止めする掛止部とを備え、該掛止部は、接続部の一部位と差込方向に対向する対向部位を有して設けられ、本体部と裏面側支持部との間には、接続部を一端側として差込方向に沿って本体部の先端にかけて開放され、根太材の載置部を差込方向に沿って受け入れ可能な受入空間が画成されるとともに、接続部と掛止部との間には、根太材の載置部を収容可能な収容空間が前記受入空間と連続して画成される構成が好ましい。
【００１１】
このようにすれば、掛止部によってデッキ材取付具の抜け止めを確実に行うことができる。
【００１２】
また、前記本体部は、差込方向に直交する方向に幅を有して形成され、前記掛止部は、本体部の幅方向一端縁部から本体部に沿って突出させて設けられ、前記係止手段は、本体部の幅方向他端縁部からそれぞれ反対方向に突出する一対の係合部によって構成されるものが好ましい。
【００１３】
このようにすれば、前記掛止部と一対の係止部とは、互いに交差する方向を向くこととなるため、一対の係止部が根太材の載置部に平行な平面に沿う状態では、掛止部と根太材の載置部とが交差する状態となる。
【００１４】
また、かかるデッキ材取付具を根太材の載置部に装着するデッキ材取付具の装着方法としては、本体部及び掛止部が根太材の載置部の表面側にあり且つ裏面側支持部が裏面側にある第一の姿勢で、掛止部が載置部を超える位置となるまで前記デッキ材取付具を載置部に差し込んだ後、掛止部が根太材の載置部の表面で二分される表面側及び裏面側の領域のうち裏面側の領域に入る第二の姿勢となるように前記デッキ材取付具を回転させることで、根太材の載置部に抜け止め状態で装着する方法が考えられる。
【００１５】
このようにすれば、第一の姿勢では掛止部を根太材の載置部と干渉させることなく差し込む（即ち、根太材の載置部に対してスライドさせる）ことができるとともに、第二の姿勢では掛止部が根太材の載置部と干渉するため、差込方向に変位することが規制され、抜け止めすることができる。
【００１６】
具体的には、デッキ材取付具を回転させると、掛止部が根太材の載置部の表面で二分される表面側及び裏面側の領域のうち裏面側の領域に入る（即ち、掛止部が根太材の載置部の裏面側に来る）状態となる。また、前記一対の係止部が表面側の領域に入る（即ち、一対の係止部が根太材の載置部の表面側に来る）状態となり、一対の係止部がデッキ材を側面側から係止可能となる。
【発明の効果】
【００１７】
以上のように、本発明に係るデッキ材取付具、及び、デッキ材取付具の装着方法によれば、デッキ材取付具自体でデッキ材を根太材に良好に固定することができる。
【発明を実施するための最良の形態】
【００１８】
以下に、本発明に係るデッキ材取付具、及び、デッキ材取付具の装着方法の実施形態について、図面に基づいて説明する。
【００１９】
本実施形態に係るデッキ材取付具１は、デッキ材４０を載置する平坦な載置部３１が幅方向の少なくとも一方側に突出して設けられた根太材３０に対してデッキ材４０を取り付けるデッキ材取付具１であり、デッキ材４０を側面４２側から係止する係止手段１０を備えるとともに、根太材３０の載置部３１に該根太材３０の幅方向一方側から差込可能且つ抜け止め可能に構成される。
【００２０】
ここで、図１を用いて、前記デッキ材取付具１が装着される根太材３０について説明する。根太材３０は、デッキ材４０を支持する機能を有するものである。従って、デッキ材４０を支持する部材であれば「大引き」といった場合もこれに該当する。かかる根太材３０は、長尺且つ真っ直ぐな横材であり、デッキ材４０を載置する平坦な載置部３１は、根太材３０の長手方向に沿い且つ所定の幅を有して形成される。
【００２１】
具体的には、前記根太材３０は、一般にハット型鋼（若しくはハット形鋼）と呼ばれるものである。より詳細に説明すると、前記根太材３０は、中心部（若しくは底部）３２と、該中心部３２の両端部から中心部３２に直交する方向に沿って同じ向き且つ同じ長さで延びる一対の側部３３，３３とを有する部材であり、前記載置部３１は、該一対の側部３３，３３の両端部から互いに離間する方向に延びる鍔状の部位として一対設けられる。
【００２２】
次に、前記デッキ材４０について説明する。デッキ材４０は、所定の厚みを有する長尺な板状体であり、前記デッキ材取付具１の係止手段１０に係止される被係止部４１を備える。具体的には、被係止部４１は、前記デッキ材４０の長手方向に沿う側面４２に形成される凹部４３であり、より具体的には、凹部４３は、デッキ材４０の長手方向に沿って溝状に形成される。
【００２３】
なお、通常、デッキは表面が水平となるように施工されるものである。従って、前記根太材３０（即ち、載置部３１）も水平に配置され、デッキ材４０も根太材３０の載置部３１に水平に載置される。また、根太材３０は、前記一対の載置部３１，３１を上にした状態で、前記中心部３２と一対の側部３３，３３とで画される溝状空間３４が上方に開放した溝となる態様で配置される。
【００２４】
次に、上述のようなデッキ材取付具１について説明する。
【００２５】
前記デッキ材取付具１は、図２から図４に示すように、前記根太材３０の平坦な載置部３１が有する面のうちデッキ材４０を載置する表面３１ａ側に配置される本体部２と、表面３１ａとは反対の裏面３１ｂ側に配置される裏面側支持部３と、本体部２と裏面側支持部３とを接続する接続部４と、本体部２の差込方向（図２（Ａ）に矢印Ａで示す）における先端側に設けられ、根太材３０の載置部３１を掛け止めする掛止部５とを備える。該掛止部５は、接続部４の一部位４ａと差込方向に対向する対向部位５ａ（図１参照）を有して設けられる。
【００２６】
また、前記デッキ材取付具１は、本体部２と裏面側支持部３との間に、接続部４を一端側として差込方向に沿って本体部２の先端にかけて開放され、根太材３０の載置部３１を差込方向に沿って受け入れ可能な受入空間Ｓ１が画成される。さらに、前記デッキ材取付具１は、接続部４と掛止部５との間に、根太材３０の載置部３１を収容可能な収容空間Ｓ２が前記受入空間Ｓ１と連続して画成される。
【００２７】
即ち、前記掛止部５は、前記接続部４との間に根太材３０の載置部３１を挟む配置となることで、デッキ材取付具１を抜け止めする抜け止め手段２０として機能する。
【００２８】
また、前記本体部２と裏面側支持部３とは、前記差込方向に沿って設けられ、また、該差込方向は、デッキ材取付具１の長手方向、即ち、本体部２及び裏面側支持部３の長手方向と一致させて設定される。
【００２９】
前記受入空間Ｓ１は、図５（Ｂ）に示されるとおり、載置部３１の厚みと同等の幅Ｌ１を有して形成される。また、前記収容空間Ｓ２は、図５及び図６（Ｂ）に表されるとおり、前記載置部３１の幅（即ち、載置部３１の突出量）と同等の差込方向寸法Ｌ２を有して形成される。即ち、前記接続部４の一部位４ａと掛止部５の対向部位５ａとは、載置部３１の幅（即ち、載置部３１の突出量）以上の間隔Ｌ２を有して対向させて設けられる。これにより、遊び（若しくは、がた）が小さくなるため、デッキ材取付具１を安定して根太材３０の載置部３１に装着することができる。具体的には、前記接続部４の一部位４ａと掛止部５の対向部位５ａとは、互いに平行且つ本体部２の幅方向一端縁部と直交して設けられる。
【００３０】
また、前記本体部２は、差込方向に直交する方向に幅を有して形成される。そして、前記掛止部５は、本体部２の幅方向一端縁部から本体部に沿って突出させて設けられる。また、前記本体部２と掛止部５とは、同一平面上で連続するように平坦に形成される。さらに、前記係止手段１０は、本体部２の幅方向他端縁部からそれぞれ反対方向に突出する一対の係合部１１，１２によって構成される。
【００３１】
前記裏面側支持部３は、デッキ材取付具１の基端側に設けられる。また、前記裏面側支持部３は、本体部２の幅方向一端縁部側、具体的には、前記裏面側支持部３は、前記本体部２の幅方向一端縁部から外方に離間した位置に配置される。前記本体部２の幅方向一端縁部と裏面側支持部３との前記差込方向に直交する方向における離間量Ｌ３は、図６（Ｂ）に示すように、載置部３１の厚みと同等となるように設定される。
【００３２】
また、前記裏面側支持部３は、本体部２に直交した状態で設けられる。前記裏面側支持部３は、差込方向に直交する方向に幅を有して形成される。具体的には、前記裏面側支持部３は、平坦に形成され、また、四角形状を有する。前記裏面側支持部３の有する本体部２側の幅方向端縁３ａは、前記差込方向に沿って設けられる。即ち、本体部２の裏面２ａと裏面側支持部３の幅方向端縁３ａとは平行となる。
【００３３】
また、前記裏面側支持部３は、前記掛止部５が設けられる本体部２の差込方向位置よりも手前に先端が来るように設けられる。具体的には、前記掛止部５と裏面側支持部３の先端との差込方向間隔Ｌ４は、少なくとも根太材３０の側部３３の厚みよりも大きく設定される。
【００３４】
前記接続部４は、前記本体部２の基端部に設けられる。また、前記接続部４は、前記本体部２と裏面側支持部３とが直交した状態となるように、湾曲して形成される。
【００３５】
前記一対の係合部１１，１２は、前記デッキ材４０の被係止部４１（即ち、側面４２に形成される凹部４３）と係合する。具体的には、前記係合部１１，１２は、平坦な形状を有し、前記凹部４３の溝の幅よりも厚みが小さく形成される。また、前記係合部１１，１２の長さ寸法（即ち、突出量）は、前記凹部４３の溝の深さよりも小さく形成される。
【００３６】
前記一対の係合部１１，１２は、本体部２の幅方向一端縁部における異なる差込方向位置に設けられる。具体的には、一対の係合部１１，１２のうち、一方の係合部１１が前記本体部２の差込方向における先端側に設けられ、他方の係合部１２が前記本体部２の差込方向における基端側に設けられる。より具体的には、前記一方の係合部１１は、前記掛止部５が設けられるのと同様の差込方向位置に設けられる。また、他方の係合部１２の差込方向における先端側端縁位置は、好ましくは、前記接続部４の差込方向における先端側端縁位置と同位置に配置される。
【００３７】
ところで、前記デッキ材取付具１は、前記デッキ材４０に固定するためのデッキ材固定部６をさらに備える。該デッキ材固定部６は、固定部材によって固定される部位であり、固定部材を受け入れる固定孔６ａが形成される。具体的には、前記デッキ材固定部６は、前記本体部２の幅方向他方側外方に突出する。該デッキ材固定部６は、前記一対の係合部１１，１２とは異なる差込方向位置に設けられ、具体的には、前記一対の係合部１１，１２の間に設けられる。
【００３８】
なお、上記構成からなるデッキ材取付具１は、平坦な板材を所定の形状に切り出して原材を作製した後、曲げ加工を施して製造される。
【００３９】
次に、上記構成からなるデッキ材取付具１を根太材３０の載置部３１に装着するデッキ材取付具１の装着方法について説明する。
【００４０】
まず、図２（Ａ）及び図５に示すように、本体部２及び掛止部５が根太材３０の載置部３１の表面３１ａ側にあり且つ裏面側支持部３が裏面３ｂ側にある第一の姿勢で、掛止部５が載置部３１を超える位置となるまで前記デッキ材取付具１を載置部３１に差し込む。
【００４１】
具体的には、前記接続部４が根太材３０の載置部３１の幅方向一端縁に当接するまで差し込む。このとき、前記本体部２が根太材３０の載置部３１の表面３１ａに沿い、前記裏面側支持部３が根太材３０の載置部３１に直交するとともに裏面側支持部３の端縁が載置部３１の裏面３１ｂに沿った状態となっている。また、前記掛止部５は、本体部２と同様に根太材３０の載置部３１の表面３１ａに沿い、載置部３１とは干渉しない状態となっている。前記掛止部５は、根太材３０の載置部３１から幅方向他端側に突出した状態となっている。さらに、前記一方の係合部１１は、根太材３０の載置部３１に直交し且つ該載置部３１の表面３１ａから離間する方向に向いているため、載置部３１とは干渉しない。
【００４２】
次に、図２（Ｂ）及び図６に示すように、掛止部５が根太材３０の載置部３１の表面３１ａで二分される表面３１ａ側及び裏面３１ｂ側の領域のうち裏面３１ｂ側の領域に入る第二の姿勢となるように前記デッキ材取付具１を回転させる。即ち、前記掛止部５が根太材３０の載置部３１と差込方向に対向する状態となるように回転させる。これによって、デッキ材取付具１は、根太材３０の載置部３１に抜け止め状態で装着される。
【００４３】
このとき、前記掛止部５と一対の係止部１１，１２とは、互いに交差する方向を向くため、一対の係止部１１，１２が根太材３０の載置部３１に平行な平面に沿う状態では、掛止部５と根太材３０の載置部３１とが交差する状態となる。具体的には、前記本体部２が根太材３０の載置部３１に直交し、前記裏面側支持部３が根太材３０の載置部３１の裏面３１ｂに沿った状態となる。また、前記掛止部５は、根太材３０の載置部３１の表面３１ａで二分される表面３１ａ側及び裏面３１ｂ側の領域のうち裏面３１ｂ側の領域に入る（即ち、掛止部５が根太材３０の載置部３１の裏面３１ｂ側に来る）状態となる。即ち、掛止部５が根太材３０の載置部３１の表面３１ａよりも下方側に来る。そして、前記掛止部５は、根太材３０の載置部３１に直交する状態となる。
【００４４】
同時に、前記一対の係止部１１，１２は、表面３１ａ側の領域に入る（即ち、一対の係止部１１，１２が根太材３０の載置部３１の表面３１ａ側に来る）状態となり、デッキ材４０を側面４２側から係止可能となる。具体的には、前記一対の係合部１１，１２は、前記根太材３０の載置部３１に平行な平面に沿う状態となる。また、前記デッキ材固定部６は、根太材３０の載置部３１に直交し、前記デッキ材４０の側面４２に沿った状態となる。
【００４５】
ところで、前記デッキ材取付具１は、隣り合うデッキ材４０，４０…同士を連結する態様で用いられるものであり、デッキが施工されるデッキ施工領域の大部分のデッキ材４０，４０…は、かかるデッキ材取付具１を用いて取り付けられるのであるが、例えばデッキ施工領域の端部などでは、これとは異なる部材によってデッキ材４０が取り付けられる。以下では、これに関して説明する。なお、通常とは異なる取り付け方法が採用されるのは、デッキ施工領域の端部とは限らないが、以下では、説明の便宜上、デッキ施工領域の端部において採用され、また、施工もデッキ施工領域の一端部から他端部にかけて行われるものとして説明する。
【００４６】
まず、デッキ施工領域の一端部に配置される最初のデッキ材４０（以下、便宜上「最初のデッキ材４０Ａ」とする）は、図７及び図８に示すようなデッキ材固定具７０を用いて根太材３０に固定される。デッキ材固定具７０は、前記最初のデッキ材４０Ａの一方側の側面４２に設けられた凹部４３に係合する係合部７１と、根太材３０の中心部３２に固定される固定部７２とを備える部材である。また、デッキ材固定具７０の固定部７２には、固定部材等が挿通される大小二つの孔７２ａ，７２ｂが形成されている。
【００４７】
また、デッキ施工領域の他端部に配置される最後のデッキ材４０Ｃ（以下、便宜上「最後のデッキ材４０Ｃ」とする）は、図９及び図１０に示すようなデッキ材取付具８０を用いて根太材３０に取り付けられる。
【００４８】
該デッキ材取付具８０は、デッキ材４０Ｃの裏面４０Ｃａとの間に根太材３０の載置部３１を収容する収容空間Ｓ３を画成する部材であり、具体的には、デッキ材４０Ｃの裏面４０Ｃａに当接する平坦面８１ａを有する裏面当接部８１と、該裏面当接部８１の平坦面８１ａよりもオフセットした位置にデッキ材４０の裏面４０Ｃａと対向する対向面８２ａを有する裏面対向部８２とを備える。さらに、前記デッキ材取付具８０は、最後のデッキ材４０Ｃの側面４２に宛がわれる側面当接部８３を備える。より具体的には、前記裏面当接部８１、裏面対向部８２及び側面当接部８３は平坦状を有する。また、前記デッキ材取付具８０は、前記裏面当接部８１を固定部材等によってデッキ材４０Ｃの裏面４０Ｃａに固定される。前記デッキ材取付具８０は、平坦な板材を曲げ加工して形成されるものである。
【００４９】
次に、上記デッキ材取付具１を用いてデッキを施工する方法について、図１１及び図１２を用いて説明する。
【００５０】
まず、図１１に示すように、デッキ材固定具７０を用いて最初のデッキ材４０Ａを根太材３０に固定する。
【００５１】
次に、前記最初のデッキ材４０Ａの近傍において、上述したデッキ材取付具１の装着方法により、前記デッキ材取付具１を根太材３０に装着する。そして、デッキ材取付具１を第二の姿勢のまま根太材３０の長手方向にスライドさせて、前記一方の係合部１１を前記最初のデッキ材４０Ａの他方側の側面４２に設けられた凹部４３に係合させる。
【００５２】
そして、同じく図１１に示すように、前記最初のデッキ材４０Ａと隣接して配置されることとなるデッキ材４０（以下、便宜上「連結されるデッキ材４０Ｂ」とする）を根太材３０に載置し且つ根太材３０の長手方向にスライドさせて、連結されるデッキ材４０Ｂの一方側の側面４２に設けられた凹部４３をデッキ材取付具１の他方の係合部１２に係合させる。以降は、同様の要領で順次デッキ材４０Ｂ，４０Ｂ…を並べて施工して行く。このとき、必要がある場合には、固定部材を用いてデッキ材取付具１に設けられるデッキ材固定部６を各デッキ材４０に固定してもよい。
【００５３】
最後に、図１２に示すように、デッキ施工領域の他端部に配置される最後のデッキ材４０（以下、便宜上「最後のデッキ材４０Ｃ」と呼ぶ）を根太材３０に取り付ける。具体的には、図１２（Ａ）に示す態様で最後のデッキ材４０Ｃを根太材３０に載置した後、図１２（Ｂ）に示す態様で最後のデッキ材４０Ｃを長手方向にスライドさせ、デッキ材取付具８０と最後のデッキ材４０の裏面４０Ｃａとの間の収容空間に根太材３０の載置部３１を収容する態様で根太材３０の載置部３１に取り付ける。
【００５４】
次に、上記デッキ材取付具１を用いて施工されるデッキの構造について説明する。
【００５５】
各デッキ材４０，４０…は、平行に配置される複数の根太材３０，３０…に亘って載置されるものであり、前記デッキ材取付具１は、各根太材３０，３０…ごとに装着される。具体的には、デッキ材取付具１は、根太材３０が有する一対の載置部３１，３１のうちいずれか一方の載置部３１に装着される。より具体的には、デッキ材取付具１は、隣接する根太材３０，３０ごとに異なる側の載置部３１に対して交互に装着される。即ち、ある根太材ではデッキ材取付具１が一方側の載置部３１に取り付けられた場合、隣接する根太材３０ではデッキ材取付具１が他方側の載置部３１に取り付けられる。
【００５６】
以上のように、本実施形態に係るデッキ材取付具１、及び、デッキ材取付具１の装着方法によれば、デッキ材取付具１自体でデッキ材４０を根太材３０に良好に固定することができる。
【００５７】
即ち、デッキ材取付具１が抜け止め可能に構成されることで、別途固定部材等を用いることなく、デッキ材取付具１を根太材３０の載置部３１に装着することができる。また、デッキ材取付具１を根太材３０の載置部３１に差し込むことでデッキ材取付具１の装着が行われるため、作業も簡便である。
【００５８】
また、デッキ材取付具１には、根太材３０の載置部３１を掛け止めする掛止部５が設けられるため、デッキ材取付具１の抜け止めを確実に行うことができる。
【００５９】
また、デッキ材取付具１の装着方法によれば、第一の姿勢では掛止部５を根太材の載置部と干渉させることなく差し込む（即ち、根太材３０の載置部３１に対してスライドさせる）ことができるとともに、第二の姿勢では掛止部５が根太材３０の載置部３１と干渉するため、差込方向に変位することが規制され、抜け止めすることができる。
【００６０】
また、上記デッキ材取付具１及び該デッキ材取付具１の装着方法によれば、デッキの施工だけでなく分解も容易且つ迅速に行うことができ、デッキのメンテナンス性を向上させることができる。従って、例えばデッキの施工後に一部のデッキ材４０が損傷した場合等には、交換作業を迅速に行うことができる。
【００６１】
なお、本発明に係るデッキ材取付具は、上記実施形態に限定されるものではなく、本発明の要旨を逸脱しない範囲で種々の変更が可能である。
【００６２】
例えば、上記実施形態においては、前記デッキ材取付具１は前記デッキ材４０に固定するためのデッキ材固定部６が前記本体部２の幅方向他端縁部に設けられるものとして説明したが、これに限定されず、固定部が設けられないものであってもよい。
【００６３】
上記実施形態においては、デッキ材取付具１に掛止部５が設けられ、該掛止部５によって根太材３０の載置部３１を掛け止めることで根太材３０の載置部３１に差し込まれたデッキ材取付具１を抜け止めするものであるとして説明したが、これに限定されるものではなく、例えば、本体部と裏面側支持部とによって根太材３０の載置部３１を挟持し（若しくは、挟み込み）、その挟持力によって抜け止めするものであってもよい。この場合、デッキ材取付具１には掛止部が設けられないものであってもよい。このようにすれば、デッキ材取付具を載置部３１に差し込んだ後に回転させずとも、単に差し込む動作のみで抜け止めすることができる。
【００６４】
上記実施形態においては、前記係止手段１０は、デッキ材４０に形成される凹部４３に係合する係合部１１，１２として設けられるものとして説明したが、デッキ材４０を係止するものであれば、デッキ材４０のどの部位を係止するものであってもよい。
【００６５】
上記実施形態においては、一対の係合部１１，１２は、本体部２の異なる差込方向位置に設けられるものとして説明したが、これに限定されるものではなく、差込方向同位置に設けられるものであってもよい。
【００６６】
上記実施形態においては、他方の係合部１２の差込方向における先端側端縁位置は、前記接続部４の差込方向における先端側端縁位置と同位置に配置されるものとして説明したが、これに限定されるものではなく、デッキ材取付具１を第一の姿勢から第二の姿勢とする際に、根太材３０の載置部３１に干渉させることなく回転させることができるものであれば、他方の係合部１２が設けられる位置は特に限定されない。
【００６７】
上記実施形態においては、前記受入空間Ｓ１は、載置部３１の厚みと同等の幅を有して形成されるものとして説明したが、これに限定されるものではなく、受入空間Ｓ１の幅Ｌ１は、少なくとも載置部３１の厚み以上に形成されるものであればよい。また、前記収容空間Ｓ２は、前記載置部３１の幅（即ち、突出量）と同等の差込方向寸法Ｌ２を有して形成されるものとして説明したが、これに限定されるものではなく、収容空間Ｓ２の差込方向寸法Ｌ２は、少なくとも載置部３１の幅以上に形成されるものであればよい。さらに、前記裏面側支持部３の離間量Ｌ３は、載置部３１の厚みと同等となるように設定されるものとして説明したが、これに限定されるものではなく、少なくとも載置部３１の厚み以上に形成されるものであればよい。
【図面の簡単な説明】
【００６８】
【図１】本発明の実施形態に係るデッキ材取付具を用いて施工されるデッキの構造の分解斜視図を示す。
【図２】同実施形態に係るデッキ材取付具を差込方向先端側から見た斜視図を示し、（Ａ）は第一の姿勢の状態、（Ｂ）は第二の姿勢の状態を示す。
【図３】同実施形態に係るデッキ材取付具を示す図であって、（Ａ）は平面図、（Ｂ）は正面図、（Ｃ）は下面図を示す。
【図４】同実施形態に係るデッキ材取付具を示す図であって、（Ａ）は、左側面図、（Ｂ）は平面図、（Ｃ）は、右側面図を示す。
【図５】同実施形態に係るデッキ材取付具の第一の姿勢を示す図であって、（Ａ）は根太材の平面から見た場合、（Ｂ）は根太材の正面から見た場合を示す。
【図６】同実施形態に係るデッキ材取付具の第二の姿勢を示す図であって、（Ａ）は根太材の上面から見た場合、（Ｂ）は根太材の正面から見た場合を示す。
【図７】最初のデッキ材を根太材に固定するデッキ材固定具を示す図であって、（Ａ）は左側面図、（Ｂ）は正面図、（Ｃ）は平面図、（Ｄ）は下面図を示す。
【図８】最初のデッキ材を根太材に固定するデッキ材固定具を示す図であって、（Ａ）は根太材の正面から見た場合、（Ｂ）は根太材の側面から見た場合を示す。
【図９】最後のデッキ材を根太材に取り付けるデッキ材取付具を示す図であって、（Ａ）は正面図、（Ｂ）は右側面図、（Ｃ）は下面図を示す。
【図１０】最後のデッキ材を根太材に取り付けるデッキ材取付具を示す図であって、（Ａ）は根太材の正面から見た場合、（Ｂ）は根太材の下面から見た場合を示す。
【図１１】同実施形態に係るデッキ材取付具１を用いてデッキを施工する方法の説明図を示す。
【図１２】最後のデッキ材を根太材に取り付ける方法の説明図であって、（Ａ）は取付前の状態、（Ｂ）は取付後の状態を示す。
【符号の説明】
【００６９】
１…デッキ材取付具、２…本体部、２ａ…裏面、３…裏面側支持部、３ａ…幅方向端縁、３ｂ…裏面、４…接続部、４ａ…一部位、５…掛止部、５ａ…対向部位、６…デッキ材固定部、６ａ…固定孔、１０…係止手段、１１，１２…係合部、２０…抜け止め手段、３０…根太材、３１…載置部、３１ａ…表面、３１ｂ…裏面、３２…中心部、３３…側部、３４…溝状空間、４０…デッキ材（４０Ａ…最初のデッキ材、４０Ｂ…連結されるデッキ材、４０Ｃ…最後のデッキ材）、４０Ｃａ…最後のデッキ材の裏面、４１…被係止部、４２…側面、４３…凹部、７０…デッキ材固定具、７１…係合部、７２…固定部、７２ａ，７２ｂ…孔、８０…デッキ材取付具、８１…裏面当接部、８１ａ…平坦面、８２…裏面対向部、８２ａ…対向面、８３…側面当接部、Ｌ１…幅、Ｌ２…差込方向寸法、Ｌ３…離間量、Ｌ４…差込方向間隔、Ｓ１…受入空間、Ｓ２…収容空間、Ｓ３…収容空間
【図１】
2008280815.tif 000003
【図２】
2008280815.tif 000004
【図３】
2008280815.tif 000005
【図４】
2008280815.tif 000006
【図５】
2008280815.tif 000007
【図６】
2008280815.tif 000008
【図７】
2008280815.tif 000009
【図８】
2008280815.tif 000010
【図９】
2008280815.tif 000011
【図１０】
2008280815.tif 000012
【図１１】
2008280815.tif 000013
【図１２】
2008280815.tif 000014